(57)【要約】【課題】安価で防水性能が高いカメラ用防水ケースを提供すること。【解決手段】所定長さの筒体からなるレンズ部収容部２０およびカメラ本体部収容部３０の第１端部２０Ａ，３０Ａ側が連結部材４０で連結され、第２端部２０Ｂ，３０Ｂに取り付けられるレンズ部収容部用閉塞体５０Ａおよびカメラ本体部収容部用閉塞体５０Ｂを具備するカメラ用防水ケース１０であって、レンズ部収容部２０と連結部材４０およびレンズ部収容部用閉塞体５０Ａの連結部分と、カメラ本体部収容部３０と連結部材４０およびカメラ本体部収容部用閉塞体５０Ｂの連結部分はそれぞれシール部材５８Ｂを介して連結されていることを特徴とする。【選択図】図１
2019191346.tif 000002
【特許請求の範囲】
【請求項１】
レンズ部とカメラ本体部とを有するカメラに用いられるカメラ用防水ケースであって、
前記レンズ部が収容可能な所定長さの筒体からなるレンズ部収容部と、
前記カメラ本体部が収容可能な所定長さの筒体からなるカメラ本体部収容部と、
前記レンズ部収容部と前記カメラ本体部収容部とを連結する連結部材と、
前記レンズ部収容部において、前記連結部材に連結される第１端部とは反対側の第２端部に装着されるレンズ部収容部用閉塞体と、
前記カメラ本体部収容部において、前記連結部材に連結される第１端部とは反対側の第２端部に装着されるカメラ本体部収容部用閉塞体と、を具備し、
前記レンズ部収容部と前記連結部材および前記レンズ部収容部用閉塞体の連結部分と、前記カメラ本体部収容部と前記連結部材および前記カメラ本体部収容部用閉塞体の連結部分はそれぞれシール部材を介して連結されていることを特徴とするカメラ用防水ケース。
【請求項２】
前記レンズ部収容部と前記カメラ本体部収容部の前記第１端部および前記第２端部は、開口部から所定長さ範囲において前記筒体の内径寸法よりも大径となる大径部に形成されていて、
前記連結部材は、
前記カメラ本体部の前記レンズ部との接続部分である撮像部に合わせて貫通孔が設けられた隔壁の前記レンズ部収容部の側の面および前記カメラ本体部収容部の側の面のそれぞれにおいて、前記大径部の内径寸法と同径寸法の筒状体が形成されていると共に、前記筒状体の外周面に沿って前記シール部材が設けられていて、
前記レンズ部収容部用閉塞体および前記カメラ本体部収容部用閉塞体は、
前記レンズ部収容部および前記カメラ本体部収容部の前記第２端部にそれぞれ形成された前記大径部の内径寸法と同径寸法の大径部進入部が形成されていると共に、前記大径部進入部の外周面に沿って前記シール部材が設けられていることを特徴とする請求項１記載のカメラ用防水ケース。
【請求項３】
前記レンズ部収容部および前記カメラ本体部収容部の前記第１端部のそれぞれには、前記連結部材との突き合わせ面に先端拡径部を有するガイド棒が起立されていて、
前記連結部材には、前記ガイド棒の拡径部が進入可能な拡径部進入部と、前記拡径部進入部を起点として前記拡径部進入部よりも幅狭に形成されると共に前記第１端部の周方向に沿って前記ガイド棒が移動可能なガイド孔とからなるロック機構が設けられていて、
前記ロック機構は、前記隔壁の中心軸周りに複数設けられていることを特徴とする請求項２記載のカメラ用防水ケース。
【請求項４】
前記隔壁には前記レンズ部収容部の側の面に前記貫通孔に沿ってシール材が周設されていることを特徴とする請求項２または３記載のカメラ用防水ケース。
【請求項５】
前記連結部材には、前記カメラ本体部を前記カメラ本体部収容部の内底面から離反させた状態で保持するカメラ本体部保持体が設けられていることを特徴とする請求項１〜４のうちのいずれか一項に記載のカメラ用防水ケース。
【請求項６】
前記レンズ部収容部と前記カメラ本体部収容部はいずれも透明材料により形成されていることを特徴とする請求項１〜５のうちのいずれか一項に記載のカメラ用防水ケース。
【請求項７】
前記カメラ本体部収容部用閉塞体には、ケーブル挿通部が設けられていて、前記ケーブル挿通部は、前記ケーブル挿通部に挿通されたケーブルを水密にシールするシール部を有していることを特徴とする請求項１〜６のうちのいずれか一項に記載のカメラ用防水ケース。
【発明の詳細な説明】
【技術分野】
【０００１】
本発明は、カメラ用防水ケースに関する。
【背景技術】
【０００２】
従来技術におけるカメラ用防水ケースとしては、特許文献１（特開２００２−０９０８５５号公報）に開示されてるような構成が知られている。
【先行技術文献】
【特許文献】
【０００３】
【特許文献１】特開２００２−０９０８５５号公報（明細書段落０００５，図１等）
【発明の概要】
【発明が解決しようとする課題】
【０００４】
特許文献１には、フロント側（または上側）とリア側（または下側）とに分割された分割ハウジングのそれぞれがシール部材を介して突き合わされ、突き合わされた全周の一端部がヒンジで開閉可能に連結され、他端部がクランプ機構によって締め付けられるデジタルカメラ用防水ハウジングの構成が開示されている。この分割ハウジングは、図１等からも明らかなように、収容対象となるデジタルカメラの外表面形状に倣った形状に形成されているため、デジタルカメラのレンズ交換や他のデジタルカメラには使用することができないといった課題がある。
【０００５】
また、同じく図１等から明らかなように、分割ハウジングの組み立てにはヒンジ構造とバックルが用いられている。このため、片手での組み立て操作が困難である他、シール部材は分割ハウジングの開口端部の全周にわたって均一に圧縮せず、防水ハウジングの水密性能を高めることが困難であるといった課題も有している。
【課題を解決するための手段】
【０００６】
本発明においては、他のカメラへの流用が可能であって、レンズ交換等片手でのカメラ用防水ケースの組み立て操作を可能にすると共に、収容物の長さや大きさに関わらず水密性能の向上をすべて満たすことが可能なカメラ用防水ケースの提供を目的とするものである。
【０００７】
すなわち本発明は、レンズ部とカメラ本体部とを有するカメラに用いられるカメラ用防水ケースであって、前記レンズ部が収容可能な所定長さの筒体からなるレンズ部収容部と、前記カメラ本体部が収容可能な所定長さの筒体からなるカメラ本体部収容部と、前記レンズ部収容部と前記カメラ本体部収容部とを連結する連結部材と、前記レンズ部収容部において、前記連結部材に連結される第１端部とは反対側の第２端部に装着されるレンズ部収容部用閉塞体と、前記カメラ本体部収容部において、前記連結部材に連結される第１端部とは反対側の第２端部に装着されるカメラ本体部収容部用閉塞体と、を具備し、前記レンズ部収容部と前記連結部材および前記レンズ部収容部用閉塞体の連結部分と、前記カメラ本体部収容部と前記連結部材および前記カメラ本体部収容部用閉塞体の連結部分はそれぞれシール部材を介して連結されていることを特徴とするカメラ用防水ケースである。
【０００８】
これにより、レンズ交換や他のカメラへの流用が可能であると共に、バックル等の操作部を用いない取り付け構造であるため片手での組み立て操作を可能にすると共に、シール部材の全体を均一に圧縮させることによる水密性能の向上を両立させることが可能になる。
【０００９】
また、前記レンズ部収容部と前記カメラ本体部収容部の前記第１端部および前記第２端部は、開口部から所定長さ範囲において前記筒体の内径寸法よりも大径となる大径部に形成されていて、前記連結部材は、前記カメラ本体部の前記レンズ部との接続部分である撮像部に合わせて貫通孔が設けられた隔壁の前記レンズ部収容部の側の面および前記カメラ本体部収容部の側の面のそれぞれにおいて、前記大径部の内径寸法と同径寸法の筒状体が形成されていると共に、前記筒状体の外周面に沿って前記シール部材が設けられていて、前記レンズ部収容部用閉塞体および前記カメラ本体部収容部用閉塞体は、前記レンズ部収容部および前記カメラ本体部収容部の前記第２端部にそれぞれ形成された前記大径部の内径寸法と同径寸法の大径部進入部が形成されていると共に、前記大径部進入部の外周面に沿って前記シール部材が設けられていることが好ましい。
【００１０】
これにより、連結部分におけるシール部材との当接精度を高めることができると共にシール部材の当接度を均一にすることができるので、シール性能を向上させることができる。
【００１１】
また、前記レンズ部収容部および前記カメラ本体部収容部の前記第１端部のそれぞれには、前記連結部材との突き合わせ面に先端拡径部を有するガイド棒が起立されていて、前記連結部材には、前記ガイド棒の拡径部が進入可能な拡径部進入部と、前記拡径部進入部を起点として前記拡径部進入部よりも幅狭に形成されると共に前記第１端部の周方向に沿って前記ガイド棒が移動可能なガイド孔とからなるロック機構が設けられていて、前記ロック機構は、前記隔壁の中心軸周りに複数設けられていることが好ましい。
【００１２】
これにより、シール部材を均一に圧縮させることができるため、水密性能を高めることができる。
【００１３】
また、前記隔壁には前記レンズ部収容部の側の面に前記貫通孔に沿ってシール材が周設されていることが好ましい。
【００１４】
これにより、レンズ部収容部に浸水が生じてもカメラ本体部収容部への水の侵入を防止することができる。
【００１５】
また、前記連結部材には、前記カメラ本体部を前記カメラ本体部収容部の内底面から離反させた状態で保持するカメラ本体部保持体が設けられていることが好ましい。
【００１６】
これにより、万が一カメラ本体部収容部が浸水した場合であっても、カメラ本体部が直ちに浸水してしまうことがない。
【００１７】
また、前記レンズ部収容部と前記カメラ本体部収容部はいずれも透明材料により形成されていることが好ましい。
【００１８】
これにより、カメラ用防水ケース内に浸水が生じたとしても、外部から浸水状態の確認ができるため、万が一カメラ防水用ケースが浸水してしまっても、カメラ用防水ケースから速やかにレンズ部およびカメラ本体部をカメラ用防水ケースから取り出すことができる。
【００１９】
前記カメラ本体部収容部用閉塞体には、ケーブル挿通部が設けられていて、前記ケーブル挿通部は、前記ケーブル挿通部に挿通されたケーブルを水密にシールするシール部を有していることが好ましい。
【００２０】
これにより、カメラ本体部により撮影された映像データをカメラ本体部から有線で外部装置に送信する場合であっても防水仕様にすることができる。
【発明の効果】
【００２１】
本発明においては、カメラ本体部収容部とレンズ部収容部とを有しているため、ズーム機能の使用やレンズ交換を容易に行うことができる。また、バックル等の操作部を用いない取り付け構造であるため片手での組み立て操作が可能になる。さらにはシール部材が筒体の開口端部に沿って単純な線形に設けられているので、収容すべきカメラ本体部やレンズ本体部が長くなったり大きくなっても、シール部材を全体にわたって均一に圧縮させることが可能になり水密性能を向上させることができる。
【図面の簡単な説明】
【００２２】
【図１】本実施形態におけるカメラ用防水ケースの側面図である。
【図２】レンズ部収容部（カメラ本体部収容部）の斜視図である。
【図３】連結部材をレンズ部収容部側から臨んだ斜視図である。
【図４】ロック機構の拡大図である。
【図５】連結部材をカメラ本体部収容部側から臨んだ斜視図である。
【図６】連結部材の隔壁に正対する位置から隔壁を臨んだ連結部材の正面図である。
【図７】カメラ本体部収容部の内底面からカメラ本体部保持体を臨んだ状態を示す説明図である。
【図８】カメラ用防水ケースの雲台取付部分における底面図である。
【発明を実施するための形態】
【００２３】
図１に示すように本実施形態におけるカメラ用防水ケース１０は、レンズ部収容部２０とカメラ本体部収容部３０が連結部材４０により連結され、レンズ部収容部２０およびカメラ本体部収容部３０の開口部（後述する第２端部２０Ｂ，３０Ｂ）に装着されたレンズ部収容部用閉塞体５０Ａおよびカメラ本体部収容部用閉塞体５０Ｂを具備している。本実施形態におけるカメラ用防水ケース１０においては、カメラ本体部収容部用閉塞体５０Ｂにケーブル挿通部６０が設けられていて、連結部材４０の外側底面には雲台取付用アタッチメント７０が取り付けられている。
【００２４】
レンズ部収容部２０とカメラ本体部収容部３０は基本構造が共通しているため、ここではレンズ部収容部２０についてのみ説明をおこなう。図２内に示されているカッコ付きの符号は、レンズ部収容部２０の構成に対応するカメラ本体部収容部３０の構成である。
【００２５】
図１および図２に示すように、レンズ部収容部２０は、収容対象となるレンズ部Ｌｅｎｓ（カメラ本体部Ｃａｍ）が収容可能な所定長さの筒体からなっている。ここでは、筒体として透明なアクリル製パイプを用いている。レンズ部収容部２０（カメラ本体部収容部３０）の第１端部２０Ａ（３０Ａ）および、これとは反対側の第２端部２０Ｂ（３０Ｂ）には、開口部からの所定長さ範囲がアクリル製パイプの内径寸法よりも大径の大径部２２（３２）が形成されている。大径部２２（３２）は中心点からの距離が一定となるように精密に（いわゆる真円度が高くなるように）切削加工されており、アクリル製パイプの製造公差よりも精密な円形断面を有する大径部２２（３２）に形成されている。本実施形態においては、レンズ部収容部２０（カメラ本体部収容部３０）の第１端部２０Ａ（３０Ａ）が連結部材４０に連結され、第1端部２０Ａ（３０Ａ）とは反対側の第２端部２０Ｂ（３０Ｂ）にはレンズ部収容部用閉塞体５０Ａ（カメラ本体部収容部用閉塞体５０Ｂ）が取り付けられる。
【００２６】
また、レンズ部収容部２０（カメラ本体部収容部３０）の第１端部２０Ａ（３０Ａ）における連結部材４０との突き合わせ端面２６（３６）には、先端拡径部を有するガイド棒８０（図３−図５参照）を起立させた状態で取り付けるための取付穴２６Ａ（３６Ａ）が形成されている。同様に、レンズ部収容部２０（カメラ本体部収容部３０）の第２端部２０Ｂ（３０Ｂ）におけるレンズ部収容部用閉塞体５０Ａ（カメラ本体部収容部用閉塞体５０Ｂ）との突き合わせ端面２８（３８）には、ガイド棒８０（図３−５参照）を起立させた状態で取り付けるための取付穴２８Ａ（３８Ａ）が形成されている。本実施形態における取付穴２６Ａ（３６Ａ），２８Ａ（３８Ａ）はいずれもネジ穴としているが、これに限定されるものではない。なお、本実施形態においてはガイド棒８０としてネジを用いている。
【００２７】
本実施形態における連結部材４０は、図３−図６に示すように隔壁４１と、隔壁４１の両面から起立する筒状体４２とを有している。隔壁４１にはカメラ本体部収容部３０に収容されたカメラ本体部Ｃａｍのレンズ部Ｌｅｎｓとの接続部分である撮像部の位置に合わせて貫通孔４３が形成されている。さらに隔壁４１のレンズ部収容部２０の側の面にはレンズ部Ｌｅｎｓが当接する位置に貫通孔４３の外周に沿ってシール材としてのパッキン４４を周設することもできる。また筒状体４２の外径寸法は、レンズ部収容部２０（カメラ本体部収容部３０）における大径部２２の内径寸法と同径寸法に形成され、外周面に沿ってシール部材４５が周設されている。シール部材４５は筒状体４２の外周面からわずかに突出した状態（変形代を有する状態）で埋設されている。このような連結部材４０にレンズ部収容部２０およびカメラ本体部収容部３０を連結することにより、大径部２２に当接したシール部材４５がシール部材４５の全体で均一に変形し、シール部材４５を介して互いに水密にシールされた状態で連結することができる。本実施形態に示したシール機構を採用することにより、レンズ部収容部２０に収容するレンズ部Ｌｅｎｓの長さや大きさや、カメラ本体部収容部３０に収容するカメラ本体部Ｃａｍの長さや大きさに関わらず高い水密性が確保された状態で連結部材４０を介して連結レンズ部収容部２０とカメラ本体部収容部３０を連結することができる。
【００２８】
また、本実施形態における連結部材４０には、レンズ部収容部２０との突き合わせ面およびカメラ本体部収容部３０との突き合わせ面に、連結対象であるレンズ部収容部２０とカメラ本体部収容部３０との連結状態を維持させるためのロック機構４６が設けられている。このロック機構４６は、先端拡径部を有するガイド棒８０であるネジのネジ頭（拡径部）が進入可能な拡径部進入部４６Ａと、拡径部進入部４６Ａを起点として円弧状に延びるガイド孔４６Ｂとにより形成されている。拡径部進入部４６Ａとガイド孔４６Ｂは、第１端部２０Ａ（３０Ａ）の突き合わせ端面２６との突き合わせ面において連結部材４０（隔壁４１）を貫通している。ガイド孔４６Ｂは、拡径部進入部４６Ａの径寸法よりも幅狭でガイド棒８０が移動可能な寸法に形成されていると共に、第１端部２０Ａ（３０Ａ）の突き合わせ端面２６（３６）の周方向に沿った円弧状に形成されている。
【００２９】
図６に示すように本実施形態においては、連結部材４０の中心軸周りに９０度間隔でロック機構４６が設けられている。このように形成されたロック機構４６には、レンズ部収容部２０に起立しているガイド棒８０とカメラ本体部収容部３０に起立しているガイド棒８０が連結部材４０の中心軸周りにおいてロック機構４６の拡径部進入部４６Ａに交互に差し込まれる。そしてガイド棒８０の拡径部（ネジ頭）を拡径部進入部４６Ａに貫通させた状態で細径部分であるネジ山部分をガイド孔４６Ｂに沿って移動させれば、レンズ部収容部２０およびカメラ本体部収容部３０の連結部材４０への連結状態をロックすることができる。なお、ロック機構４６の配設間隔は、連結部材４０の中心軸周りに９０度間隔で配設しているがこの配設間隔に限定されるものではなく、ロック機構４６は連結部材４０の連結面に複数設けられていればよい。
【００３０】
さらに本実施形態における連結部材４０は、カメラ本体部Ｃａｍをカメラ本体部収容部３０の内底面から離反させた状態で保持するカメラ本体部保持体４７が取り付けられている。カメラ本体部保持体４７は、図５―図７に示すように、平面視コの字形に形成されていて、内底面の中央部分および連結部材４０の隔壁４１に形成されたネジ穴４１Ａを用いてネジ留めによって連結部材４０に固定されている。カメラ本体部保持体４７は、カメラ本体部収容部３０の内底面から離反させた状態で連結部材４０に取り付けられている。カメラ本体部Ｃａｍは、カメラ本体部保持体４７のコの字の内側部分にカメラ本体部Ｃａｍの底部が差し込まれた後、カメラ本体部保持体４７の側面に設けられた固定用ネジ穴４７Ａでネジ留め固定される。このようにしてカメラ本体部Ｃａｍは、カメラ本体部収容部３０の内底面から離反させた状態でカメラ本体部収容部３０に収容されることになる。
【００３１】
さらにまた本実施形態における連結部材４０の外側底面には、図示しないカメラ用三脚の雲台にカメラ用防水ケース１０を取り付けるための雲台取付用アタッチメント７０が設けられている。雲台取付用アタッチメント７０は、図８に示すように、連結部材４０の外側底面に形成されたネジ穴７２を用いてネジ留めすることにより連結部材４０の外側底面に着脱可能に取り付けられている。雲台取付用アタッチメント７０は雲台に形成されているネジを固定用ネジ穴７４に螺合させることにより三脚に固定することができる。また、雲台取付用アタッチメント７０は、連結部材４０の外側底面との第１当接部７６およびカメラ本体部収容部３０の外側底面との第２当接部７８（図３参照）の当接面がそれぞれ円弧状に形成されている。このような第１当接部７６および第２当接部７８により、雲台取付用アタッチメント７０は、連結部材４０とカメラ本体部収容部３０とを安定的に支持することができる。
【００３２】
本実施形態においては、レンズ部収容部２０の第２端部２０Ｂにレンズ部収容部用閉塞体５０Ａが取り付けられ、カメラ本体部収容部３０の第２端部３０Ｂにカメラ本体部収容部用閉塞体５０Ｂが取り付けられている。レンズ部収容部用閉塞体５０Ａはレンズ部Ｌｅｎｓのレンズ面に平行なフィルタ５２Ａがフィルタ保持部５４Ａにより保持されたものである。フィルタ保持部５４Ａにはレンズ部収容部２０の第２端部２０Ｂの大径部２２に進入可能な大径部進入部５６Ａが設けられている。大径部進入部５６Ａの外径寸法は大径部２２の内径寸法と等しい径寸法に形成されていると共に、大径部進入部５６Ａには外周面に沿ってシール部材５８Ａが周設されている。大径部進入部５６Ａをレンズ部収容部２０の第２端部２０Ｂの大径部２２に進入させれば、レンズ部収容部２０と連結部材４０との連結形態と同様、レンズ部収容部２０にレンズ部収容部用閉塞体５０Ａを水密にシールした状態で取り付けることができる。
【００３３】
カメラ本体部収容部用閉塞体５０Ｂは、隔壁５２Ｂが隔壁保持体５４Ｂに保持されていて、隔壁５２Ｂの外側面にはケーブル挿通部６０が取り付けられている。隔壁５２Ｂの中央位置には隔壁５２Ｂおよびケーブル挿通部６０を貫通する貫通孔（図示せず）が穿設されていて、この貫通孔にカメラ本体部ＣａｍからのケーブルＣａｂを挿通させることによりカメラ用防水ケース１０の外部に引き出すことができる。ケーブル挿通部６０の貫通孔の内周面にはシール部材（図示せず）が設けられているのでケーブルＣａｂからカメラ本体部収容部３０の内部に浸水することはない。
【００３４】
また、隔壁５２Ｂのカメラ本体部収容部３０の側の面にはカメラ本体部収容部３０の第２端部３０Ｂの大径部２２に進入可能な大径部進入部５６Ｂが形成されている。大径部進入部５６Ｂの外径寸法は大径部２２の内径寸法と等しい径寸法に形成されていると共に、大径部進入部５６Ｂの外周面に沿ってシール部材５８Ｂが周設されている。大径部進入部５６Ｂをカメラ本体部収容部３０の第２端部３０Ｂの大径部２２に進入させれば、カメラ本体部収容部３０と連結部材４０との連結形態と同様、シール部材５８Ｂによりカメラ本体部収容部３０にカメラ本体部収容部用閉塞体５０Ｂをシールした状態で取り付けることができる点で好都合である。
【００３５】
また、万が一カメラ用防水ケース１０が浸水したとしても、レンズ部収容部２０とカメラ本体部収容部３０は透明であるから外部からカメラ用防水ケース１０の内部の観察が可能である。これにより浸水時にはカメラ用防水ケース１０を水中等から迅速に引き上げることができる。さらにカメラ本体部Ｃａｍは、カメラ本体部収容部３０の内底面から離反しているので、少量の浸水ではカメラ本体部Ｃａｍが浸水することがないといえる。
【００３６】
以上に説明したように、本実施形態におけるカメラ用防水ケース１０の連結部分は、いずれも真円度の高い大径部（２２，３２）にシール部材付きの筒状体４２および大径部進入部（５６Ａ，５６Ｂ）が差し込まれた構造になっている。これによりレンズ部収容部２０，カメラ本体部収容部３０，連結部材４０，レンズ部収容部用閉塞体５０Ａおよびカメラ本体部収容部用閉塞体５０Ｂは、連結部分の大きさに関わらずシール部材（４５，５８Ａ，５８Ｂ）によってきわめて高い水密性能でシールされた状態で連結されることになる。よって、水中での撮影も可能になる点において好都合である。
【００３７】
なお、本発明におけるレンズ収容部２０およびカメラ本体部収容部３０と連結部材４０およびレンズ部収容部用閉塞体５０Ａまたはカメラ本体部収容部用閉塞体５０Ｂとの連結部分における形態は、以上の実施形態で説明した構成に限定されるものではない。具体的には、レンズ部収容部２０およびカメラ本体部収容部３０の両端部に大径部を形成せず、連結部材４０に筒状体４２を形成すると共にレンズ部収容部用閉塞体５０Ａおよびカメラ本体部収容部用閉塞体５０Ｂの連結端部に外径寸法をレンズ部収容部２０およびカメラ本体部収容部３０の両端部の内径寸法以下の連結用筒状体（図示せず）を形成し、筒状体４２および連結用筒状体の外周面にシール部材を設けた形態を採用することもできる。以上により、筒状体４２および連結用筒状体の外周面のシール部材がレンズ部収容部２０およびカメラ本体部収容部３０の両端部の内周面に当接することで収容物の長さや大きさに関わらず水密にシールされた状態でこれらを連結することができる。
【００３８】
また、本実施形態においては、連結部材４０にカメラ本体部保持体４７を設けているが、カメラ本体部保持体４７の構成は省略することもできる。この場合、カメラ本体部収容部３０の内部でカメラ本体部Ｃａｍを固定するためのカメラ本体部用固定手段を設けておくことが好ましい。
【００３９】
また、本実施形態においては、連結部材４０にロック機構４６が設けられていると共に、レンズ部収容部２０およびカメラ本体部収容部３０にロック機構４６に差し込むための先端拡径部を有するガイド棒８０を設けているが、この形態に限定されるものではない。レンズ部収容部２０およびカメラ本体部収容部３０に対する筒状体４２の差し込み長さを十分長くすることができれば、ロック機構４６および先端拡径部を有するガイド棒８０の構成はそれぞれ省略することも可能である。
【００４０】
また、本実施形態においては、レンズ部収容部２０およびカメラ本体部収容部３０を透明材料であるアクリル樹脂により形成しているが、レンズ部収容部２０およびカメラ本体部収容部３０は不透明材料により形成することもできる。
【００４１】
また、本実施形態においては、カメラ本体部収容部用閉塞体５０Ｂにケーブル挿通部６０を設けているが、カメラ本体部Ｃａｍからの信号を外部装置に無線出力することができれば、カメラ本体部収容部用閉塞体５０Ｂへのケーブル挿通部６０の構成を省略した単純な隔壁５２Ｂの構成を採用することもできる。
【００４２】
さらに、以上に説明した実施形態および変形例を適宜組み合わせた形態を採用することもできる。
【符号の説明】
【００４３】
１０  カメラ用防水ケース，
２０  レンズ部収容部，
２０Ａ  第１端部，２０Ｂ  第２端部，２２  大径部，２６，２８  突き合わせ端面，
２６Ａ，２８Ａ  取付穴，
３０  カメラ本体部収容部，
３０Ａ  第１端部，３０Ｂ  第２端部，３２  大径部，３６，３８  突き合わせ端面，
３６Ａ，３８Ａ  取付穴，
４０  連結部材，
４１  隔壁，４１Ａ  ネジ穴，４２  筒状体，４３  貫通孔，４４  パッキン，
４５  シール部材，４６  ロック機構，４６Ａ  拡径部進入部，４６Ｂ  ガイド孔，
４７  カメラ本体部保持体，４７Ａ  固定用ネジ穴，
５０Ａ  レンズ部収容部用閉塞体，５２Ａ  フィルタ，５４Ａ  フィルタ保持部，
５６Ａ  大径部進入部，５８Ａ  シール部材，
５０Ｂ  カメラ本体部収容部用閉塞体，  ５２Ｂ隔壁，５４Ｂ  隔壁保持体，
５６Ｂ  大径部進入部，５８Ｂ  シール部材，
６０  ケーブル挿通部，
７０  雲台取付用アタッチメント，
７２  ネジ穴，７４  固定用ネジ穴，７６  第１当接部，７８  第２当接部，
８０  先端拡径部を有するガイド棒，
Ｌｅｎｓ  レンズ部，
Ｃａｍ  カメラ本体部，
Ｃａｂ  ケーブル
【図１】
2019191346.tif 000003
【図２】
2019191346.tif 000004
【図３】
2019191346.tif 000005
【図４】
2019191346.tif 000006
【図５】
2019191346.tif 000007
【図６】
2019191346.tif 000008
【図７】
2019191346.tif 000009
【図８】
2019191346.tif 000010
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
レンズ部とカメラ本体部とを有するカメラに用いられるカメラ用防水ケースであって、
前記レンズ部が収容可能な所定長さの筒体からなるレンズ部収容部と、
前記カメラ本体部が収容可能な所定長さの筒体からなるカメラ本体部収容部と、
前記レンズ部収容部と前記カメラ本体部収容部とを連結する連結部材と、
前記レンズ部収容部において、前記連結部材に連結される第１端部とは反対側の第２端部に装着されるレンズ部収容部用閉塞体と、
前記カメラ本体部収容部において、前記連結部材に連結される第１端部とは反対側の第２端部に装着されるカメラ本体部収容部用閉塞体と、を具備し、
前記レンズ部収容部と前記連結部材および前記レンズ部収容部用閉塞体の連結部分と、前記カメラ本体部収容部と前記連結部材および前記カメラ本体部収容部用閉塞体の連結部分はそれぞれシール部材を介して連結されていて、
前記レンズ部収容部と前記カメラ本体部収容部の前記第１端部および前記第２端部は、開口部から所定長さ範囲において前記筒体の内径寸法よりも大径となる大径部に形成されていて、
前記連結部材は、
前記カメラ本体部の前記レンズ部との接続部分である撮像部に合わせて貫通孔が設けられた隔壁の前記レンズ部収容部の側の面および前記カメラ本体部収容部の側の面のそれぞれにおいて、前記大径部の内径寸法と同径寸法の筒状体が形成されていると共に、前記筒状体の外周面に沿って前記シール部材が設けられていて、
前記レンズ部収容部用閉塞体および前記カメラ本体部収容部用閉塞体は、
前記レンズ部収容部および前記カメラ本体部収容部の前記第２端部にそれぞれ形成された前記大径部の内径寸法と同径寸法の大径部進入部が形成されていると共に、前記大径部進入部の外周面に沿って前記シール部材が設けられ、
前記隔壁には前記レンズ部収容部の側の面に前記貫通孔の外周に沿って前記レンズ部と当接するシール材が周設されていることを特徴とするカメラ用防水ケース。
【請求項２】
前記レンズ部収容部および前記カメラ本体部収容部の前記第１端部のそれぞれには、前記連結部材との突き合わせ面に先端拡径部を有するガイド棒が起立されていて、
前記連結部材には、前記ガイド棒の拡径部が進入可能な拡径部進入部と、前記拡径部進入部を起点として前記拡径部進入部よりも幅狭に形成されると共に前記第１端部の周方向に沿って前記ガイド棒が移動可能なガイド孔とからなるロック機構が設けられていて、
前記ロック機構は、前記隔壁の中心軸周りに複数設けられていることを特徴とする請求項１記載のカメラ用防水ケース。
【請求項３】
前記連結部材には、前記カメラ本体部を前記カメラ本体部収容部の内底面から離反させた状態で保持するカメラ本体部保持体が設けられていることを特徴とする請求項１または２記載のカメラ用防水ケース。
【請求項４】
前記レンズ部収容部と前記カメラ本体部収容部はいずれも透明材料により形成されていることを特徴とする請求項１〜３のうちのいずれか一項に記載のカメラ用防水ケース。
【請求項５】
前記カメラ本体部収容部用閉塞体には、ケーブル挿通部が設けられていて、前記ケーブル挿通部は、前記ケーブル挿通部に挿通されたケーブルを水密にシールするシール部を有していることを特徴とする請求項１〜４のうちのいずれか一項に記載のカメラ用防水ケース。
【手続補正２】
【補正対象書類名】明細書
【補正対象項目名】全文
【補正方法】変更
【補正の内容】
【発明の詳細な説明】
【技術分野】
【０００１】
本発明は、カメラ用防水ケースに関する。
【背景技術】
【０００２】
従来技術におけるカメラ用防水ケースとしては、特許文献１（特開２００２−０９０８５５号公報）に開示されているような構成が知られている。
【先行技術文献】
【特許文献】
【０００３】
【特許文献１】特開２００２−０９０８５５号公報（明細書段落０００５，図１等）
【発明の概要】
【発明が解決しようとする課題】
【０００４】
特許文献１には、フロント側（または上側）とリア側（または下側）とに分割された分割ハウジングのそれぞれがシール部材を介して突き合わされ、突き合わされた全周の一端部がヒンジで開閉可能に連結され、他端部がクランプ機構によって締め付けられるデジタルカメラ用防水ハウジングの構成が開示されている。この分割ハウジングは、図１等からも明らかなように、収容対象となるデジタルカメラの外表面形状に倣った形状に形成されているため、デジタルカメラのレンズ交換や他のデジタルカメラには使用することができないといった課題がある。
【０００５】
また、同じく図１等から明らかなように、分割ハウジングの組み立てにはヒンジ構造とバックルが用いられている。このため、片手での組み立て操作が困難である他、シール部材は分割ハウジングの開口端部の全周にわたって均一に圧縮せず、防水ハウジングの水密性能を高めることが困難であるといった課題も有している。
【課題を解決するための手段】
【０００６】
本発明においては、他のカメラへの流用が可能であって、レンズ交換等片手でのカメラ用防水ケースの組み立て操作を可能にすると共に、収容物の長さや大きさに関わらず水密性能の向上をすべて満たすことが可能なカメラ用防水ケースの提供を目的とするものである。
【０００７】
すなわち本発明は、レンズ部とカメラ本体部とを有するカメラに用いられるカメラ用防水ケースであって、前記レンズ部が収容可能な所定長さの筒体からなるレンズ部収容部と、前記カメラ本体部が収容可能な所定長さの筒体からなるカメラ本体部収容部と、前記レンズ部収容部と前記カメラ本体部収容部とを連結する連結部材と、前記レンズ部収容部において、前記連結部材に連結される第１端部とは反対側の第２端部に装着されるレンズ部収容部用閉塞体と、前記カメラ本体部収容部において、前記連結部材に連結される第１端部とは反対側の第２端部に装着されるカメラ本体部収容部用閉塞体と、を具備し、前記レンズ部収容部と前記連結部材および前記レンズ部収容部用閉塞体の連結部分と、前記カメラ本体部収容部と前記連結部材および前記カメラ本体部収容部用閉塞体の連結部分はそれぞれシール部材を介して連結されていて、前記レンズ部収容部と前記カメラ本体部収容部の前記第１端部および前記第２端部は、開口部から所定長さ範囲において前記筒体の内径寸法よりも大径となる大径部に形成されていて、前記連結部材は、前記カメラ本体部の前記レンズ部との接続部分である撮像部に合わせて貫通孔が設けられた隔壁の前記レンズ部収容部の側の面および前記カメラ本体部収容部の側の面のそれぞれにおいて、前記大径部の内径寸法と同径寸法の筒状体が形成されていると共に、前記筒状体の外周面に沿って前記シール部材が設けられていて、前記レンズ部収容部用閉塞体および前記カメラ本体部収容部用閉塞体は、前記レンズ部収容部および前記カメラ本体部収容部の前記第２端部にそれぞれ形成された前記大径部の内径寸法と同径寸法の大径部進入部が形成されていると共に、前記大径部進入部の外周面に沿って前記シール部材が設けられ、前記隔壁には前記レンズ部収容部の側の面に前記貫通孔の外周に沿って前記レンズ部と当接するシール材が周設されていることを特徴とするカメラ用防水ケースである。
【０００８】
これにより、レンズ交換や他のカメラへの流用が可能であると共に、バックル等の操作部を用いない取り付け構造であるため片手での組み立て操作を可能にすると共に、シール部材の全体を均一に圧縮させることによる水密性能の向上を両立させることが可能になる。また、連結部分におけるシール部材との当接精度を高めることができると共にシール部材の当接度を均一にすることができるので、シール性能を向上させることができる。さらには、隔壁の貫通孔の外周に沿って周設されたシール材がレンズ部と当接することによりレンズ部収容部に浸水が生じてもカメラ本体部収容部への水の侵入を防止することができる。
【０００９】
また、前記レンズ部収容部および前記カメラ本体部収容部の前記第１端部のそれぞれには、前記連結部材との突き合わせ面に先端拡径部を有するガイド棒が起立されていて、前記連結部材には、前記ガイド棒の拡径部が進入可能な拡径部進入部と、前記拡径部進入部を起点として前記拡径部進入部よりも幅狭に形成されると共に前記第１端部の周方向に沿って前記ガイド棒が移動可能なガイド孔とからなるロック機構が設けられていて、前記ロック機構は、前記隔壁の中心軸周りに複数設けられていることが好ましい。
【００１０】
これにより、シール部材を均一に圧縮させることができるため、水密性能を高めることができる。
【００１１】
また、前記連結部材には、前記カメラ本体部を前記カメラ本体部収容部の内底面から離反させた状態で保持するカメラ本体部保持体が設けられていることが好ましい。
【００１２】
これにより、万が一カメラ本体部収容部が浸水した場合であっても、カメラ本体部が直ちに浸水してしまうことがない。
【００１３】
また、前記レンズ部収容部と前記カメラ本体部収容部はいずれも透明材料により形成されていることが好ましい。
【００１４】
これにより、カメラ用防水ケース内に浸水が生じたとしても、外部から浸水状態の確認ができるため、万が一カメラ防水用ケースが浸水してしまっても、カメラ用防水ケースから速やかにレンズ部およびカメラ本体部をカメラ用防水ケースから取り出すことができる。
【００１５】
前記カメラ本体部収容部用閉塞体には、ケーブル挿通部が設けられていて、前記ケーブル挿通部は、前記ケーブル挿通部に挿通されたケーブルを水密にシールするシール部を有していることが好ましい。
【００１６】
これにより、カメラ本体部により撮影された映像データをカメラ本体部から有線で外部装置に送信する場合であっても防水仕様にすることができる。
【発明の効果】
【００１７】
本発明においては、カメラ本体部収容部とレンズ部収容部とを有しているため、ズーム機能の使用やレンズ交換を容易に行うことができる。また、バックル等の操作部を用いない取り付け構造であるため片手での組み立て操作が可能になる。さらにはシール部材が筒体の開口端部に沿って単純な線形に設けられているので、収容すべきカメラ本体部やレンズ本体部が長くなったり大きくなっても、シール部材を全体にわたって均一に圧縮させることが可能になり水密性能を向上させることができる。そして、連結部分におけるシール部材との当接精度を高めることができ、隔壁の貫通孔の外周に沿って周設されたシール材がレンズ部と当接することによりレンズ部収容部に浸水が生じてもカメラ本体部収容部への水の侵入を防止することができる。
【図面の簡単な説明】
【００１８】
【図１】本実施形態におけるカメラ用防水ケースの側面図である。
【図２】レンズ部収容部（カメラ本体部収容部）の斜視図である。
【図３】連結部材をレンズ部収容部側から臨んだ斜視図である。
【図４】ロック機構の拡大図である。
【図５】連結部材をカメラ本体部収容部側から臨んだ斜視図である。
【図６】連結部材の隔壁に正対する位置から隔壁を臨んだ連結部材の正面図である。
【図７】カメラ本体部収容部の内底面からカメラ本体部保持体を臨んだ状態を示す説明図である。
【図８】カメラ用防水ケースの雲台取付部分における底面図である。
【発明を実施するための形態】
【００１９】
図１に示すように本実施形態におけるカメラ用防水ケース１０は、レンズ部収容部２０とカメラ本体部収容部３０が連結部材４０により連結され、レンズ部収容部２０およびカメラ本体部収容部３０の開口部（後述する第２端部２０Ｂ，３０Ｂ）に装着されたレンズ部収容部用閉塞体５０Ａおよびカメラ本体部収容部用閉塞体５０Ｂを具備している。本実施形態におけるカメラ用防水ケース１０においては、カメラ本体部収容部用閉塞体５０Ｂにケーブル挿通部６０が設けられていて、連結部材４０の外側底面には雲台取付用アタッチメント７０が取り付けられている。
【００２０】
レンズ部収容部２０とカメラ本体部収容部３０は基本構造が共通しているため、ここではレンズ部収容部２０についてのみ説明をおこなう。図２内に示されているカッコ付きの符号は、レンズ部収容部２０の構成に対応するカメラ本体部収容部３０の構成である。
【００２１】
図１および図２に示すように、レンズ部収容部２０は、収容対象となるレンズ部Ｌｅｎｓ（カメラ本体部Ｃａｍ）が収容可能な所定長さの筒体からなっている。ここでは、筒体として透明なアクリル製パイプを用いている。レンズ部収容部２０（カメラ本体部収容部３０）の第１端部２０Ａ（３０Ａ）および、これとは反対側の第２端部２０Ｂ（３０Ｂ）には、開口部からの所定長さ範囲がアクリル製パイプの内径寸法よりも大径の大径部２２（３２）が形成されている。大径部２２（３２）は中心点からの距離が一定となるように精密に（いわゆる真円度が高くなるように）切削加工されており、アクリル製パイプの製造公差よりも精密な円形断面を有する大径部２２（３２）に形成されている。本実施形態においては、レンズ部収容部２０（カメラ本体部収容部３０）の第１端部２０Ａ（３０Ａ）が連結部材４０に連結され、第1端部２０Ａ（３０Ａ）とは反対側の第２端部２０Ｂ（３０Ｂ）にはレンズ部収容部用閉塞体５０Ａ（カメラ本体部収容部用閉塞体５０Ｂ）が取り付けられる。
【００２２】
また、レンズ部収容部２０（カメラ本体部収容部３０）の第１端部２０Ａ（３０Ａ）における連結部材４０との突き合わせ端面２６（３６）には、先端拡径部を有するガイド棒８０（図３−図５参照）を起立させた状態で取り付けるための取付穴２６Ａ（３６Ａ）が形成されている。同様に、レンズ部収容部２０（カメラ本体部収容部３０）の第２端部２０Ｂ（３０Ｂ）におけるレンズ部収容部用閉塞体５０Ａ（カメラ本体部収容部用閉塞体５０Ｂ）との突き合わせ端面２８（３８）には、ガイド棒８０（図３−５参照）を起立させた状態で取り付けるための取付穴２８Ａ（３８Ａ）が形成されている。本実施形態における取付穴２６Ａ（３６Ａ），２８Ａ（３８Ａ）はいずれもネジ穴としているが、これに限定されるものではない。なお、本実施形態においてはガイド棒８０としてネジを用いている。
【００２３】
本実施形態における連結部材４０は、図３−図６に示すように隔壁４１と、隔壁４１の両面から起立する筒状体４２とを有している。隔壁４１にはカメラ本体部収容部３０に収容されたカメラ本体部Ｃａｍのレンズ部Ｌｅｎｓとの接続部分である撮像部の位置に合わせて貫通孔４３が形成されている。さらに隔壁４１のレンズ部収容部２０の側の面にはレンズ部Ｌｅｎｓが当接する位置に貫通孔４３の外周に沿ってシール材としてのパッキン４４を周設することもできる。また筒状体４２の外径寸法は、レンズ部収容部２０（カメラ本体部収容部３０）における大径部２２の内径寸法と同径寸法に形成され、外周面に沿ってシール部材４５が周設されている。シール部材４５は筒状体４２の外周面からわずかに突出した状態（変形代を有する状態）で埋設されている。このような連結部材４０にレンズ部収容部２０およびカメラ本体部収容部３０を連結することにより、大径部２２に当接したシール部材４５がシール部材４５の全体で均一に変形し、シール部材４５を介して互いに水密にシールされた状態で連結することができる。本実施形態に示したシール機構を採用することにより、レンズ部収容部２０に収容するレンズ部Ｌｅｎｓの長さや大きさや、カメラ本体部収容部３０に収容するカメラ本体部Ｃａｍの長さや大きさに関わらず高い水密性が確保された状態で連結部材４０を介して連結レンズ部収容部２０とカメラ本体部収容部３０を連結することができる。
【００２４】
また、本実施形態における連結部材４０には、レンズ部収容部２０との突き合わせ面およびカメラ本体部収容部３０との突き合わせ面に、連結対象であるレンズ部収容部２０とカメラ本体部収容部３０との連結状態を維持させるためのロック機構４６が設けられている。このロック機構４６は、先端拡径部を有するガイド棒８０であるネジのネジ頭（拡径部）が進入可能な拡径部進入部４６Ａと、拡径部進入部４６Ａを起点として円弧状に延びるガイド孔４６Ｂとにより形成されている。拡径部進入部４６Ａとガイド孔４６Ｂは、第１端部２０Ａ（３０Ａ）の突き合わせ端面２６との突き合わせ面において連結部材４０（隔壁４１）を貫通している。ガイド孔４６Ｂは、拡径部進入部４６Ａの径寸法よりも幅狭でガイド棒８０が移動可能な寸法に形成されていると共に、第１端部２０Ａ（３０Ａ）の突き合わせ端面２６（３６）の周方向に沿った円弧状に形成されている。
【００２５】
図６に示すように本実施形態においては、連結部材４０の中心軸周りに９０度間隔でロック機構４６が設けられている。このように形成されたロック機構４６には、レンズ部収容部２０に起立しているガイド棒８０とカメラ本体部収容部３０に起立しているガイド棒８０が連結部材４０の中心軸周りにおいてロック機構４６の拡径部進入部４６Ａに交互に差し込まれる。そしてガイド棒８０の拡径部（ネジ頭）を拡径部進入部４６Ａに貫通させた状態で細径部分であるネジ山部分をガイド孔４６Ｂに沿って移動させれば、レンズ部収容部２０およびカメラ本体部収容部３０の連結部材４０への連結状態をロックすることができる。なお、ロック機構４６の配設間隔は、連結部材４０の中心軸周りに９０度間隔で配設しているがこの配設間隔に限定されるものではなく、ロック機構４６は連結部材４０の連結面に複数設けられていればよい。
【００２６】
さらに本実施形態における連結部材４０は、カメラ本体部Ｃａｍをカメラ本体部収容部３０の内底面から離反させた状態で保持するカメラ本体部保持体４７が取り付けられている。カメラ本体部保持体４７は、図５―図７に示すように、平面視コの字形に形成されていて、内底面の中央部分および連結部材４０の隔壁４１に形成されたネジ穴４１Ａを用いてネジ留めによって連結部材４０に固定されている。カメラ本体部保持体４７は、カメラ本体部収容部３０の内底面から離反させた状態で連結部材４０に取り付けられている。カメラ本体部Ｃａｍは、カメラ本体部保持体４７のコの字の内側部分にカメラ本体部Ｃａｍの底部が差し込まれた後、カメラ本体部保持体４７の側面に設けられた固定用ネジ穴４７Ａでネジ留め固定される。このようにしてカメラ本体部Ｃａｍは、カメラ本体部収容部３０の内底面から離反させた状態でカメラ本体部収容部３０に収容されることになる。
【００２７】
さらにまた本実施形態における連結部材４０の外側底面には、図示しないカメラ用三脚の雲台にカメラ用防水ケース１０を取り付けるための雲台取付用アタッチメント７０が設けられている。雲台取付用アタッチメント７０は、図８に示すように、連結部材４０の外側底面に形成されたネジ穴７２を用いてネジ留めすることにより連結部材４０の外側底面に着脱可能に取り付けられている。雲台取付用アタッチメント７０は雲台に形成されているネジを固定用ネジ穴７４に螺合させることにより三脚に固定することができる。また、雲台取付用アタッチメント７０は、連結部材４０の外側底面との第１当接部７６およびカメラ本体部収容部３０の外側底面との第２当接部７８（図３参照）の当接面がそれぞれ円弧状に形成されている。このような第１当接部７６および第２当接部７８により、雲台取付用アタッチメント７０は、連結部材４０とカメラ本体部収容部３０とを安定的に支持することができる。
【００２８】
本実施形態においては、レンズ部収容部２０の第２端部２０Ｂにレンズ部収容部用閉塞体５０Ａが取り付けられ、カメラ本体部収容部３０の第２端部３０Ｂにカメラ本体部収容部用閉塞体５０Ｂが取り付けられている。レンズ部収容部用閉塞体５０Ａはレンズ部Ｌｅｎｓのレンズ面に平行なフィルタ５２Ａがフィルタ保持部５４Ａにより保持されたものである。フィルタ保持部５４Ａにはレンズ部収容部２０の第２端部２０Ｂの大径部２２に進入可能な大径部進入部５６Ａが設けられている。大径部進入部５６Ａの外径寸法は大径部２２の内径寸法と等しい径寸法に形成されていると共に、大径部進入部５６Ａには外周面に沿ってシール部材５８Ａが周設されている。大径部進入部５６Ａをレンズ部収容部２０の第２端部２０Ｂの大径部２２に進入させれば、レンズ部収容部２０と連結部材４０との連結形態と同様、レンズ部収容部２０にレンズ部収容部用閉塞体５０Ａを水密にシールした状態で取り付けることができる。
【００２９】
カメラ本体部収容部用閉塞体５０Ｂは、隔壁５２Ｂが隔壁保持体５４Ｂに保持されていて、隔壁５２Ｂの外側面にはケーブル挿通部６０が取り付けられている。隔壁５２Ｂの中央位置には隔壁５２Ｂおよびケーブル挿通部６０を貫通する貫通孔（図示せず）が穿設されていて、この貫通孔にカメラ本体部ＣａｍからのケーブルＣａｂを挿通させることによりカメラ用防水ケース１０の外部に引き出すことができる。ケーブル挿通部６０の貫通孔の内周面にはシール部（図示せず）が設けられているのでケーブルＣａｂからカメラ本体部収容部３０の内部に浸水することはない。
【００３０】
また、隔壁５２Ｂのカメラ本体部収容部３０の側の面にはカメラ本体部収容部３０の第２端部３０Ｂの大径部２２に進入可能な大径部進入部５６Ｂが形成されている。大径部進入部５６Ｂの外径寸法は大径部２２の内径寸法と等しい径寸法に形成されていると共に、大径部進入部５６Ｂの外周面に沿ってシール部材５８Ｂが周設されている。大径部進入部５６Ｂをカメラ本体部収容部３０の第２端部３０Ｂの大径部２２に進入させれば、カメラ本体部収容部３０と連結部材４０との連結形態と同様、シール部材５８Ｂによりカメラ本体部収容部３０にカメラ本体部収容部用閉塞体５０Ｂをシールした状態で取り付けることができる点で好都合である。
【００３１】
また、万が一カメラ用防水ケース１０が浸水したとしても、レンズ部収容部２０とカメラ本体部収容部３０は透明であるから外部からカメラ用防水ケース１０の内部の観察が可能である。これにより浸水時にはカメラ用防水ケース１０を水中等から迅速に引き上げることができる。さらにカメラ本体部Ｃａｍは、カメラ本体部収容部３０の内底面から離反しているので、少量の浸水ではカメラ本体部Ｃａｍが浸水することがないといえる。
【００３２】
以上に説明したように、本実施形態におけるカメラ用防水ケース１０の連結部分は、いずれも真円度の高い大径部（２２，３２）にシール部材付きの筒状体４２および大径部進入部（５６Ａ，５６Ｂ）が差し込まれた構造になっている。これによりレンズ部収容部２０，カメラ本体部収容部３０，連結部材４０，レンズ部収容部用閉塞体５０Ａおよびカメラ本体部収容部用閉塞体５０Ｂは、連結部分の大きさに関わらずシール部材（４５，５８Ａ，５８Ｂ）によってきわめて高い水密性能でシールされた状態で連結されることになる。よって、水中での撮影も可能になる点において好都合である。
【００３３】
なお、本発明におけるレンズ収容部２０およびカメラ本体部収容部３０と連結部材４０およびレンズ部収容部用閉塞体５０Ａまたはカメラ本体部収容部用閉塞体５０Ｂとの連結部分における形態は、以上の実施形態で説明した構成に限定されるものではない。具体的には、レンズ部収容部２０およびカメラ本体部収容部３０の両端部に大径部を形成せず、連結部材４０に筒状体４２を形成すると共にレンズ部収容部用閉塞体５０Ａおよびカメラ本体部収容部用閉塞体５０Ｂの連結端部に外径寸法をレンズ部収容部２０およびカメラ本体部収容部３０の両端部の内径寸法以下の連結用筒状体（図示せず）を形成し、筒状体４２および連結用筒状体の外周面にシール部材を設けた形態を採用することもできる。以上により、筒状体４２および連結用筒状体の外周面のシール部材がレンズ部収容部２０およびカメラ本体部収容部３０の両端部の内周面に当接することで収容物の長さや大きさに関わらず水密にシールされた状態でこれらを連結することができる。
【００３４】
また、本実施形態においては、連結部材４０にカメラ本体部保持体４７を設けているが、カメラ本体部保持体４７の構成は省略することもできる。この場合、カメラ本体部収容部３０の内部でカメラ本体部Ｃａｍを固定するためのカメラ本体部用固定手段を設けておくことが好ましい。
【００３５】
また、本実施形態においては、連結部材４０にロック機構４６が設けられていると共に、レンズ部収容部２０およびカメラ本体部収容部３０にロック機構４６に差し込むための先端拡径部を有するガイド棒８０を設けているが、この形態に限定されるものではない。レンズ部収容部２０およびカメラ本体部収容部３０に対する筒状体４２の差し込み長さを十分長くすることができれば、ロック機構４６および先端拡径部を有するガイド棒８０の構成はそれぞれ省略することも可能である。
【００３６】
また、本実施形態においては、レンズ部収容部２０およびカメラ本体部収容部３０を透明材料であるアクリル樹脂により形成しているが、レンズ部収容部２０およびカメラ本体部収容部３０は不透明材料により形成することもできる。
【００３７】
また、本実施形態においては、カメラ本体部収容部用閉塞体５０Ｂにケーブル挿通部６０を設けているが、カメラ本体部Ｃａｍからの信号を外部装置に無線出力することができれば、カメラ本体部収容部用閉塞体５０Ｂへのケーブル挿通部６０の構成を省略した単純な隔壁５２Ｂの構成を採用することもできる。
【００３８】
さらに、以上に説明した実施形態および変形例を適宜組み合わせた形態を採用することもできる。
【符号の説明】
【００３９】
１０  カメラ用防水ケース，
２０  レンズ部収容部，
２０Ａ  第１端部，２０Ｂ  第２端部，２２  大径部，２６，２８  突き合わせ端面，
２６Ａ，２８Ａ  取付穴，
３０  カメラ本体部収容部，
３０Ａ  第１端部，３０Ｂ  第２端部，３２  大径部，３６，３８  突き合わせ端面，
３６Ａ，３８Ａ  取付穴，
４０  連結部材，
４１  隔壁，４１Ａ  ネジ穴，４２  筒状体，４３  貫通孔，４４  パッキン，
４５  シール部材，４６  ロック機構，４６Ａ  拡径部進入部，４６Ｂ  ガイド孔，
４７  カメラ本体部保持体，４７Ａ  固定用ネジ穴，
５０Ａ  レンズ部収容部用閉塞体，５２Ａ  フィルタ，５４Ａ  フィルタ保持部，
５６Ａ  大径部進入部，５８Ａ  シール部材，
５０Ｂ  カメラ本体部収容部用閉塞体，  ５２Ｂ隔壁，５４Ｂ  隔壁保持体，
５６Ｂ  大径部進入部，５８Ｂ  シール部材，
６０  ケーブル挿通部，
７０  雲台取付用アタッチメント，
７２  ネジ穴，７４  固定用ネジ穴，７６  第１当接部，７８  第２当接部，
８０  先端拡径部を有するガイド棒，
Ｌｅｎｓ  レンズ部，
Ｃａｍ  カメラ本体部，
Ｃａｂ  ケーブル